(57)【要約】【課題】  電子メールにおける文字の表示に関して、受け手側の環境に制約されて、送り手が設定した同じ書体で受け手において表示されないし、ひどい場合は文字化けという現象になることがある。【解決手段】  電子メールにおける文字の書体がそのままの表現で、ラスタ形式の画像データに変換されて送信される。受信側ではそのままの画像として表示される。【選択図】図５
2005235152.tif 000002
【特許請求の範囲】
【請求項１】
サーバーと、少なくとも第１クライアント及び第２クライアントとが電子通信回線を介して接続され、第１クライアントからサーバーを介して第２クライアントにメールを送信するに際して、文字原稿をラスタ形式の画像データに変換したものを、サーバーを介して第２クライアントに送信し、第２クライアント側においてその画像データを受信して、その画像を表示させる電子メールシステム。
【請求項２】
サーバーと、少なくとも第１クライアント及び第２クライアントとが電子通信回線を介して接続され、第１クライアントからサーバーを介して第２クライアントにメールを送信するに際して、文字原稿及び絵や図表の原稿をラスタ形式の画像データに変換したものを、サーバーを介して第２クライアントに送信し、第２クライアント側においてその画像データを受信して、その画像を表示させる電子メールシステム。
【請求項３】
サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿をラスタ形式の画像データに変換したものを、サーバーを介して第２クライアントに送信し、第２クライアント側においてその画像データを受信して、その画像を表示させる電子メールシステム。
【請求項４】
サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿を一つに統合したラスタ形式の画像データに変換したものを、サーバーを介して第２クライアントに送信し、第２クライアント側においてその画像データを受信して、その画像を表示させる電子メールシステム。
【請求項５】
サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿を、各々個別のラスタ形式の画像データに変換したものを、サーバーを介して第２クライアントに送信し、第２クライアント側においてそれらの画像データを受信して、それらの画像を合成して表示させる電子メールシステム。
【発明の詳細な説明】
【技術分野】
【０００１】  本発明は、電子通信回線を利用した電子情報伝達システムに関するものである
【背景技術】
【０００２】  今日、電気通信回線を利用した電子情報伝達システム、すなわち電子メールシステムは、必要不可欠なコミュニケーションツールとなっている。
電子メールで伝えることのできる内容は、文字や画像、動画、音声など多様であるが、文字だけはコードデータで送信し、画像や音声データ等はそれに添付する形式になっている。【０００３】  この場合、文字の表示に関して、送り手と受け手において書体表示のための環境が同じであれば、送り手が設定した同じ書体で受け手においても表示されるが、そうでない場合は受け手側の環境に制約されて、送り手が設定した書体で受け手において表示されないし、ひどい場合は文字化けという現象にもなる。
【発明が解決しようとする課題】
【０００４】  本発明は、送信側と受信側においてお互いに違う書体表示の環境であっても、文字の表示が書体表示の環境の違いに影響されない電子メールシステムを提供するとともに、封筒や便箋やカードやハガキに文字を書き入れたような表現を実現するものである。
【課題を解決するための手段】
【０００５】  本発明は、画面に表示されたフォーマット上に文字を記入してメール文を作成し、送信先のメールアドレスを設定して送信の操作を行うと、メール文がそのままの表現で、ラスタ形式の画像データに変換されて送信される。
受け手がそれを受信すると、メール文は画像として表示される。この場合、文字は画像として表示されるので、送り手が設定した書体の表現そのままで表示されるようになる。
【０００６】  この時、送り手が文字を記入するフォーマットに様々な色やデザインや写真を施すことにより、それを便箋やカードやハガキのように仕立て、そこに記入された文字とともに画像化して送信し、それを受け手側で受信して、封筒や便箋やカードやハガキに文字を書き入れたような画像として表示させることができる。
【０００７】  送り手が文字を記入するフォーマットは、レイヤー構造にすることで複数ページを重ねることができるので、フォーマットを複数枚重ねて文字を記入することができる。
また、複数ページを重ねた記入済のフォーマットは、レイヤー構造のまま画像化して送ることができるので、受け手側も重なった画像をめくりながら読むことができる。
【０００８】  この時、デザイン部分のレイヤーと文字部分のレイヤーを分けて画像化すれば、複数ページの文字部分に対して、共通するデザイン部分だけは１ページ分のデータを送信することで、受け手側では何枚もの便箋に手紙を書いているように表示することができるので、送信データの軽量化を図ることができる。
【０００９】  フォーマットには文字だけでなく、絵や図形や図表なとも記入することができ、それらを個別に画像化して送信し、受け手側でそれらを合成して一つの画像として表示させることもできる。
【００１０】  本発明は、サーバーと、少なくとも第１クライアント及び第２クライアントとが電子通信回線を介して接続され、第１クライアントからサーバーを介して第２クライアントにメールを送信するに際して、文字原稿をラスタ形式の画像データに変換したものを、サーバーを介して第２クライアントに送信し、第２クライアント側においてその画像データを受信して、その画像を表示させるようにしたことを特徴とする。
【００１１】  本発明は、サーバーと、少なくとも第１クライアント及び第２クライアントとが電子通信回線を介して接続され、第１クライアントからサーバーを介して第２クライアントにメールを送信するに際して、文字原稿及び絵や図表の原稿をラスタ形式の画像データに変換したものを、サーバーを介して第２クライアントに送信し、第２クライアント側においてその画像データを受信して、その画像を表示させるようにしたことを特徴とする。
【００１２】  本発明は、サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿をラスタ形式の画像データに変換したものを、サーバーを介して第２クライアントに送信し、第２クライアント側においてその画像データを受信して、その画像を表示させるようにしたことを特徴とする。
【００１３】  本発明は、サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿を、一つに統合されたラスタ形式の画像データに変換したものを、サーバーを介して第２クライアントに送信し、第２クライアント側においてその画像データを受信して、その画像を表示させるようにしたことを特徴とする。
【００１４】  本発明は、サーバーと、少なくとも第１クライアント及び第２クライアントとが電子通信回線を介して接続され、第１クライアントからサーバーを介して第２クライアントにメールを送信するに際して、文字原稿及び絵や図表の原稿及びデザイン画や写真等の原稿を、個別のラスタ形式の画像データに変換したものを、サーバーを介して第２クライアントに送信し、第２クライアント側においてそれらの画像データを受信して、それらの画像を合成して表示させるようにしたことを特徴とする。
【００１５】  以下に本発明を詳述する。
メールの送り手は、本発明の提供する電子メールソフトを立ち上げ、送信側フォーマットを表示させて、図１に示されるように、そのフォーマットに文字を記入する。この場合、文字の書体は手書きを含め自由に選定することができる。
そして、送信先のメールアドレスを設定して送信の操作を行うと、文字はアウトライン化され、そのままの表現でラスタ形式に画像化され、圧縮された画像データとして、サーバーに送信される。
メールの受け手は本発明の提供する電子メールソフトを立ち上げて、それによりサーバーから送り手から送られてきた画像データをダウンロードして受信し、同じく図１に示されるように、画像として表示させる。
【００１６】  メールの送り手は、本発明の提供する電子メールソフトを立ち上げ、送信側フォーマットを表示させて、図２に示されるように、そのフォーマットに文字及び絵や図表を記入する。この場合、文字の書体は手書きを含め自由に選定することができる。
そして、送信先のメールアドレスを設定して送信の操作を行うと、文字及び絵や図表はアウトライン化され、そのままの表現でラスタ形式に画像化され、圧縮された画像データとして、サーバーに送信される。
メールの受け手は本発明の提供する電子メールソフトを立ち上げて、それによりサーバーから送り手から送られてきた画像データをダウンロードして受信し、同じく図２に示されるように、画像として表示させる。
【００１７】  メールの送り手は、本発明の提供する電子メールソフトを立ち上げ、デザイン画や写真等が付いた送信側フォーマットを表示させて、図３に示されるように、そのフォーマットに文字及び絵や図表を記入する。この場合、文字の書体は手書きを含め自由に選定することができる。
そして、送信先のメールアドレスを設定して送信の操作を行うと、文字及び絵や図表はアウトライン化され、そのままの表現でデザイン画や写真等と合わせてラスタ形式に画像化され、圧縮された画像データとして、サーバーに送信される。
メールの受け手は本発明の提供する電子メールソフトを立ち上げて、それによりサーバーから送り手から送られてきた画像データをダウンロードして受信し、同じく図３に示されるように、画像として表示させる。
この時、文字や絵や図表の背景にデザイン画や写真等があるために、メールは便箋やカードやハガキに書いた手紙のように見える。
【００１８】  メールの送り手は、本発明の提供する電子メールソフトを立ち上げ、レイヤー構造になった送信側フォーマットを表示させる。図４に示されるように、デザイン画や写真等が付いたレイヤー（３）の上に、二つ目のレイヤー（２）があり、そのレイヤーに絵や図表を記入する。更にその上に三つ目のレイヤー（１）があり、そのレイヤーに文字を記入する。この場合、文字の書体は手書きを含め自由に選定することができる。二つ目のレイヤー（２）と三つ目のレイヤー（１）は位置が逆でもよい。
そして、送信先のメールアドレスを設定して送信の操作を行うと、文字はアウトライン化され、そのままの表現でラスタ形式に画像化され、また絵や図表もそのままの表現でラスタ形式に画像化され、またデザイン画や写真等もそのままの表現でラスタ形式に画像化され、それらの画像データは一つに統合され、圧縮された画像データとして、サーバーに送信される。
メールの受け手は本発明の提供する電子メールソフトを立ち上げて、それによりサーバーから送り手から送られてきた画像データをダウンロードして受信し、図５に示されるように、文字及び絵や図表及びデザイン画や写真等を一つに統合された画像として表示させる。
この時、文字や絵や図表の背景にデザイン画や写真等があるために、メールは便箋やカードやハガキに書いた手紙のように見える。
【００１９】  メールの送り手は、本発明の提供する電子メールソフトを立ち上げ、レイヤー構造になった送信側フォーマットを表示させる。図４に示されるように、デザイン画や写真等が付いたレイヤー（３）の上に、二つ目のレイヤー（２）があり、そのレイヤーに絵や図表を記入する。更にその上に三つ目のレイヤー（１）があり、そのレイヤーに文字を記入する。この場合、文字の書体は手書きを含め自由に選定することができる。二つ目のレイヤー（２）と三つ目のレイヤー（１）は位置が逆でもよい。
そして、送信先のメールアドレスを設定して送信の操作を行うと、文字はアウトライン化され、そのままの表現でラスタ形式に画像化され、また絵や図表もそのままの表現でラスタ形式に画像化され、またデザイン画や写真等もそのままの表現でラスタ形式に画像化され、それらの画像データは各々個別の圧縮された画像データとして、サーバーに送信される。
メールの受け手は本発明の提供する電子メールソフトを立ち上げて、それによりサーバーから送り手から送られてきた各々個別の画像データをダウンロードして受信し、図５に示されるように、文字の画像と絵や図表の画像とデザイン画や写真等の画像の各々個別になった画像データを合成して表示させる。
この時、文字や絵や図表の背景にデザイン画や写真等があるために、メールは便箋やカードやハガキに書いた手紙のように見える。
【００２０】  メールの送り手は、本発明の提供する電子メールソフトを立ち上げ、レイヤー構造になった送信側フォーマットを表示させる。図６に示されるように、デザイン画や写真等が付いたレイヤー（６）の上に、二つ目のレイヤー（５）があり、そのレイヤーに絵や図表を記入する。更にその上に三つ目のレイヤー（４）があり、そのレイヤーに文字を記入する。この場合、文字の書体は手書きを含め自由に選定することができる。二つ目のレイヤー（５）と三つ目のレイヤー（４）は位置が逆でもよい。
また、２ページ目を書きたい時には、図７に示されるように、２ページ目のレイヤー構造になった送信側フォーマットを表示させる。デザイン画や写真等が付いたレイヤー（９）の上に、二つ目のレイヤー（８）があり、そのレイヤーに絵や図表を記入する。更にその上に三つ目のレイヤー（７）があり、そのレイヤーに文字を記入する。この場合、文字の書体は手書きを含め自由に選定することができる。二つ目のレイヤー（８）と三つ目のレイヤー（７）は位置が逆でもよい。
そして、送信先のメールアドレスを設定して送信の操作を行うと、文字はアウトライン化され、そのままの表現でラスタ形式に画像化され、また絵や図表もそのままの表現でラスタ形式に画像化され、またデザイン画や写真等もそのままの表現でラスタ形式に画像化され、それらの画像データは一つに統合された、圧縮された画像データとして、もしくは各々個別の圧縮された画像データとして、サーバーに送信される。
メールの受け手は本発明の提供する電子メールソフトを立ち上げて、それによりサーバーから送り手から送られてきた、一つに統合された画像データ、もしくは各々個別の画像データをダウンロードして受信し、一つに統合された画像を表示させ、もしくは文字の画像と絵や図表の画像とデザイン画や写真等の画像の各々個別になった画像データを合成して表示させ、それとともに、図８に示されるように、１ページと２ページはレイヤー構造により重ねて表示されるので、１ページ目の次には、隠れた２ページ目を表に出して、あたかも便箋をめくるようにして、送られてきたメールを読むことができる。
この時、文字や絵や図表の背景にデザイン画や写真等があるために、メールは便箋やカードに書いた手紙のように見える。
【００２１】  また、複数ページのメールを書くとき、文字や絵や図表の背景になるデザイン画や写真等の画像が共通のものである時、各々個別になった画像データを送信して、受信側で合成して表示する方式の場合、１ページ分のデザイン画や写真等の画像データにより複数ページの背景を構成することができるので、送信データの軽量化を図ることができる。
【００２２】  また、複数ページのメールを書くとき、１ページ目の背景になるデザイン画を封筒のデザインにすれば、図９に示されるように、メールを封筒で送る表現にすることができ、その１ページ目を表示させた後、便箋やカードを表現した背景に文字を記入した２ページ目以降を表示させれば、あたかも封筒から便箋やカードを取り出して手紙を読むような表現を実現することができる。
【００２３】  また、この電子メールシステムでは動画データや音声のデータを添付して送信することができ、受け手が画像データを受信して、その画像を表示させたとき、その画像に重ねて動画を表示させ、また音声を再生することができる。
【発明の効果】
【００２４】  本発明は以上のように構成されているので、電子メールの送り手と受け手において、書体表示の環境が違っていても、常に送り手が設定した書体のまま表示される。また文字の背景に様々な色やデザインや写真を施すことにより、あたかも便箋やカードやハガキに手紙を書いているように表現することができる。
【００２５】
【図面の簡単な説明】
【図１】送信側フォーマットに文字を記入した図、及びそれが受信者側で表示された図
【図２】送信側フォーマットに文字と絵を記入した図、及びそれが受信者側で表示された図
【図３】写真付きの送信側フォーマットに文字と絵を記入した図、及びそれが受信者側で表示された図
【図４】レイヤー構造になった送信側フォーマットに文字及び絵を記入した図
【図５】文字と絵と写真が一つに統合もしくは合成された画像の図
【図６】１ページ目のレイヤー構造の送信側フォーマットに文字と絵を記入した図
【図７】２ページ目のレイヤー構造の送信側フォーマットに文字と絵を記入した図
【図８】１ページと２ページからなる、文字と絵と写真が一つに統合もしくは合成された画像の図
【図９】封筒を表現した背景デザインに文字を記入した図
【符号の説明】
１  文字記入レイヤー
２  絵や図表記入レイヤー
３  デザイン画や写真等のレイヤー
４  文字記入レイヤー
５  絵や図表記入レイヤー
６  デザイン画や写真等のレイヤー
７  文字記入レイヤー
８  絵や図表記入レイヤー
９  デザイン画や写真等のレイヤー
１０  受信側に表示されたメール画像の１ページ目
１１  受信側に表示されたメール画像の２ページ目
【図１】
2005235152.tif 000003
【図２】
2005235152.tif 000004
【図３】
2005235152.tif 000005
【図４】
2005235152.tif 000006
【図５】
2005235152.tif 000007
【図６】
2005235152.tif 000008
【図７】
2005235152.tif 000009
【図８】
2005235152.tif 000010
【図９】
2005235152.tif 000011